(57)【要約】【課題】外部空間と塵埃吸込室とを適宜連通させて、前方にある塵埃を充分に吸引させる連通手段に塵埃が付着することを防止できると共に、連通手段の変形を防止することができる吸込口体を提供すること。【解決手段】内部に塵埃吸込室２３が設けられ且つ底面に塵埃吸込室２３への吸込開口２４が設けられた吸込口本体２１と、この吸込口本体２１に設けられて外部空間と塵埃吸込室とを適宜連通させる連通手段とを備えた吸込口体２０であって、連通手段は、吸込開口２４の前方又は後方の少なくともどちらか一方に位置すると共に、吸込開口２４に沿って吸込口本体２１の幅方向に延び且つ回動自在に設けられた回動体３０を有し、この回動体３０の表面には、吸込口本体２１の前後方向の移動に伴って被清掃面Ｍに接触し、この被清掃面Ｍとの間に生じる摩擦力により回動する接触摩擦面３１と、所定角度回動した際に被清掃面Ｍとの間に間隙を形成する凹部３２とが設けられ、接触摩擦面３１は被清掃面Ｍに接触した際に、塵埃吸込室２３側に向かうにつれて幅方向の幅が広くなるように形成されている。【選択図】  図２
2004230005.tif 000002
【特許請求の範囲】
【請求項１】
内部に塵埃吸込室が設けられ且つ底面に前記塵埃吸込室への吸込開口が設けられた吸込口本体と、該吸込口本体に設けられて外部空間と前記塵埃吸込室とを適宜連通させる連通手段とを備えた吸込口体であって、
前記連通手段は、前記吸込開口の前方又は後方の少なくともどちらか一方に位置すると共に、前記吸込開口に沿って前記吸込口本体の幅方向に延び且つ回動自在に設けられた回動体を有し、
該回動体には、前記吸込口本体の前後方向の移動に伴って被清掃面に接触し、該被清掃面との間に生じる摩擦力により前記回動体を回動させる接触摩擦面と、前記回動体が所定角度回動した際に前記被清掃面との間に間隙を形成する凹部とが設けられ、
前記接触摩擦面は、前記塵埃吸込室側に向かうにつれて前記幅方向の幅が広くなるように形成されていることを特徴とする吸込口体。
【請求項２】
請求項１に記載の吸込口体において、前記接触摩擦面は、複数設けられていることを特徴とする吸込口体。
【請求項３】
請求項１又は２に記載の吸込口体において、前記接触摩擦面は、少なくとも前記回動体の中央部及び該中央部を挟んでほぼ等距離離れた対称位置にそれぞれ設けられていることを特徴とする吸込口体。
【請求項４】
請求項１ないし３のいずれか一つに記載の吸込口体を備えたことを特徴とする電気掃除機。
【発明の詳細な説明】
【０００１】
【発明の属する技術分野】
この発明は、吸込口本体に設けられた塵埃吸込室と外部空間とを適宜連通する連通手段を有する吸込口体及びこれを備えた電気掃除機に関するものである。
【０００２】
【従来の技術】
従来の吸込口体としては、図８に示すようなものが知られている（特許文献１参照）。
【０００３】
この吸込口体１は、下ケース２ａと上ケース２ｂ等から構成される吸込口本体２を有している。そして、この吸込口本体２は、内部に塵埃吸込室３が設けられ、且つ、底面に塵埃吸込室３への吸込開口３ａが設けられている。さらに、この吸込口本体２の前面には、下面にまで亘って開口する吸塵口４が形成されており、この吸塵口４には、開口量を可変するための開閉体５が回動自在に設けられている。
【０００４】
開閉体５は、図８（ｂ）に示すように、後方に向かって湾曲した下端縁５ａが下ケース２ａの底面２ｃに対向すると共に、突起部５ｂが前方に向かって突出するように図示しない開閉保持手段により保持されている。
【０００５】
この吸込口体１によれば、被清掃面を掃除する場合には、開閉保持手段により開閉体５の下端縁５ａを被清掃面に対向させて、吸塵口４をほぼ閉塞するようになっている。
【０００６】
そして、吸込口体１の前面が家具等に当接すると、前方に向かって突出している突起部５ｂが家具等に当接し、開閉保持手段に抗して開閉体５を回動させて吸塵口４の全面を開口させている。
【０００７】
また、図９に示すような吸込口体も考えられている。
【０００８】
この吸込口体６は吸込口本体７を有し、この吸込口本体７は、内部に塵埃吸込室８が設けられ、且つ、底面に塵埃吸込室８への吸込開口８ａが設けられている。さらに、この吸込口本体７の前側には、吸込口本体７の前後方向の移動に伴って被清掃面との間に生じる摩擦力により回動する回動体９が設けられている。
【０００９】
そして、この回動体９の表面には所定角度回動した際に、被清掃面との間に間隙を形成する凹部９ａと、被清掃面に接触する接触摩擦面９ｂとが設けられている。
【００１０】
【特許文献１】
特開２００２−６５５２３号公報（段落００１９、段落００２０、段落００３２、図１、図４）
【００１１】
【発明が解決しようとする課題】
しかしながら、上述の吸込口体１では、吸込口体１の前面が家具等に当接した際に吸塵口４が開口するので、通常の移動状態では吸塵室４は閉塞しており、吸込口体１の前方にある塵埃を充分に吸引することが困難であった。
【００１２】
一方、吸込口体６では、通常の移動状態であっても、回動体９が所定角度回動して凹部９ａと被清掃面とが対向する。これにより、凹部９ａと被清掃面との間に間隙が形成され、吸込口体６の前方にある塵埃を吸引する。
【００１３】
しかし、この吸込口体６は、被清掃面に接触する接触摩擦面９ａの幅方向側面が吸込開口８ａに対して直交する方向に沿って延在しているので、被清掃面に接触している接触摩擦面９ａに塵埃が付着しやすいという問題が生じていた。
【００１４】
また、塵埃が付着する接触摩擦面９ａの被清掃面との接触面積を小さくするために、接触摩擦面９ａの吸込口本体７の幅方向の幅を狭くした場合では、吸込口本体７が前後方向に移動した際、回動体９に作用する摩擦力によってこの回動体９が撓んでしまうことがあった。
【００１５】
この発明は、上記問題に鑑みてなされたもので、外部空間と塵埃吸込室とを適宜連通させて、前方にある塵埃を充分に吸引させる連通手段に塵埃が付着することを防止できると共に、連通手段の変形を防止することができる吸込口体を提供することを目的としている。
【００１６】
【課題を解決するための手段】
この発明の吸込口体は、内部に塵埃吸込室が設けられ且つ底面に塵埃吸込室への吸込開口が設けられた吸込口本体と、この吸込口本体に設けられて外部空間と塵埃吸込室とを適宜連通させる連通手段とを備え、連通手段は、吸込開口の前方又は後方の少なくともどちらか一方に位置すると共に、吸込開口に沿って吸込口本体の幅方向に延び且つ回動自在に設けられた回動体を有し、この回動体には、吸込口本体の前後方向の移動に伴って被清掃面に接触し、この被清掃面との間に生じる摩擦力により回動体を回動させる接触摩擦面と、回動体が所定角度回動した際に被清掃面との間に間隙を形成する凹部とが設けられ、接触摩擦面は、塵埃吸込室側に向かうにつれて幅方向の幅が広くなるように形成されていることを特徴としている。
【００１７】
この発明によれば、連通手段が有する回動体に設けられた接触摩擦面が、塵埃吸込室側に向かうにつれて吸込口本体の幅方向の幅が広くなるように形成されているので、塵埃が付着しやすい接触摩擦面の外部空間側の被清掃面との接触面積を小さくさせて、塵埃を付着しにくくすることができる。
【００１８】
さらに、接触摩擦面の塵埃吸込室側では、塵埃吸込室に作用する吸込負圧の影響が比較的大きいので、接触摩擦面に付着した塵埃を充分に吸い込むことができ、塵埃の付着を防止できる。
【００１９】
また、この回動体は、塵埃吸込室側の接触摩擦面の幅方向の幅が広くなるように形成されているので、吸込口本体の前後方向の移動に伴って生じる摩擦力で、回動体が撓んで変形することを防止できる。
【００２０】
【発明の実施の形態】
以下、図面に基づいてこの発明にかかる吸込口体の実施の形態を説明する。
【００２１】
電気掃除機１０は、図１に示すように、上下方向に長く延びた掃除機本体１１と、掃除機本体１１に着脱可能に装着されたほぼ円筒形状の集塵容器１２と、掃除機本体１１に設けられて上下方向に延びた吸込風路管１３と、吸込風路管１３の一端である下端部に着脱自在に設けられた吸込口体２０とを備えている。なお、この電気掃除機１０はいわゆるアップライト式といわれる電気掃除機である。
【００２２】
掃除機本体１１は、ほぼ円筒形状を呈した中空のケース体１４と、ケース体１４の側方に設けられると共に、上方に向かって延在されたハンドル体１５とを有している。
【００２３】
ケース体１４内には、下側から順に、電動送風機１４ａと、コードリール１４ｂとが配設されている。そして、このケース体１４には、下面に形成された図示しない装着部を介して集塵容器１２が着脱自在に設けられている。この集塵容器１２と電動送風機１４ａとはケース体１４内に形成された風路を介して連通されている。
【００２４】
また、吸込風路管１３は、ハンドル体１５の下端部近傍から下方に向かって延在された中空管であり、下端部に装着された吸込口体２０の内部に形成された塵埃吸込室２２に連通されている。なお、吸込風路管１３と吸込口体２０とは、吸込口体２０の後部に起倒自在に設けられている接続管１６を介して設けられている。また、吸込風路管１３の他端の側面には装着口（図示せず）が形成され、吸込風路管１３はこの装着口を介して集塵容器１２に連通されている。
【００２５】
吸込口体２０は、図２に示すように、吸込口本体２１を有している。この吸込口本体２１の外側は、下部ケース２２ａと、下部ケース２２ａ上に結合される上部ケース２２ｂ等を有する本体ケース２２等により構成されている（図４参照）。そして、本体ケース２２内には塵埃吸込室２３が形成されている。
【００２６】
下部ケース２２ａの底面には、塵埃を吸引する吸込開口２４が開口されており、この吸込開口２４に臨むように、塵埃吸込室２３内には回転清掃体２５が回転自在に配置されている（図４参照）。
【００２７】
この回転清掃体２５は、ブレード２５ａ及びブラシ２５ｂを有し、吸込口本体２１内に配設された図示しないモータにより回転駆動される。なお、図２では、この回転清掃体２３は省略されている。
【００２８】
また、図２に示すように、下部ケース２２ａの底面には、吸込口本体２１の移動に伴って回転する検知ローラ２６が設けられ、この検知ローラ２６の回転方向によって吸込口本体２１の前進や後退が検知される。そして、検知ローラ２６での検知結果に基づいて図示しないモータの回転方向が制御される。また、下部ケース２２ａの後部には後輪２７が取り付けられている。
【００２９】
さらに、図４に示すように、吸込開口２４の前方であって吸込口本体２１の前部先端には、吸込口本体２１前方の外部空間に連通する凹所２８が形成されている。そして、この凹所２８内に連通手段である回動体３０が回動自在に設けられている。また、凹所２８と吸込開口２４との間には縦壁２９が設けられ、この縦壁２９の下端面は被清掃面Ｍとの間に隙間Ｇを形成している。
【００３０】
回動体３０は、外部空間と塵埃吸込室２３とを適宜連通させる連通手段であり、図３に示すように吸込開口２４に沿って吸込口本体２１の幅方向（以下、幅方向という）に延びると共に、略円柱形状を呈している。なお、この幅方向とは、図２において矢印で示す方向である。
【００３１】
そして、この回動体３０の表面には、吸込口本体２１の前後方向の移動に伴って被清掃面Ｍに接触し、この被清掃面Ｍとの間に生じる摩擦力により回動体３０を回動させる複数の接触摩擦面３１と、回動体３０が所定角度回動した際に、被清掃面Ｍに対向してこの被清掃面Ｍとの間に間隙を形成する凹部３２とが設けられている。なお、この凹部３２は、複数の接触摩擦面３１の間に位置するものもある。
【００３２】
接触摩擦面３１は、回動体３０の中央部、及び、この中央部を挟んで、中央部から等距離離れた対称位置の三箇所にそれぞれ設けられている。そして、各接触摩擦面３１は凹部３２に対して円弧状に膨出し、凹部３２の長手方向縁部に跨って形成されている。これにより、回動体３０が回動した際に、被清掃面Ｍに円滑に接触することができる。
【００３３】
また、接触摩擦面３１は、塵埃吸込室２３側に向かうにつれて幅方向の幅が徐々に広くなるように形成され、この幅方向の側面が次第に離間するようなテーパ状に形成されている。なお、ここでは外部空間側の幅方向の幅が所定長さある正面視ほぼ台形形状を呈しているが、この外部空間側の幅方向の幅がほとんどない正面視ほぼ三角形形状であってもよい。
【００３４】
凹部３２は、隣接する接触摩擦面３１同士の間にそれぞれ設けられると共に、回動体３０の両端に設けられている。この凹部３２は平坦面に形成され、接触摩擦面３１よりもへこんでいる。なお、ここでは、接触摩擦面３１に対して、縦壁２９の下端面と被清掃面Ｍとの間の隙間Ｇとほぼ同じ距離だけへこんでいる。
【００３５】
さらに、回転体３０の両端面には支軸３３、３４が設けられ、これら支軸３３、３４は吸込口本体２１の凹所２１の両側壁面に回動自在に取り付けられている。また、回動体３０には、複数の凹部３２及び接触摩擦面３１の幅方向の側面を除いた表面全体に払拭部材３０Ａが貼り付けられている。この払拭部材３０Ａは起毛布等であり、凹所２８内に回動体３０が配置されたとき、凹所２８の内面に密着する。なお、接触摩擦面３１にも払拭部材３０Ａは取り付けられている。
【００３６】
さらに、図には示してないが、回動体３０の両端面または凹所２８の両側壁面には、回動体３０の回動角度を、図５に示すように９０度の範囲に規制するストッパが設けられている。
【００３７】
次に、この電気掃除機１０の作用を説明する。
【００３８】
電気掃除機１０を使用するには、図示しないスイッチを入れて電動送風機１４ａを駆動させて塵埃吸込室２３に吸込負圧を作用させた後に、掃除機本体１１のハンドル体１５を操作して、吸込口体２０を被清掃面Ｍ上で移動させて掃除を行っていく。
【００３９】
そして、吸込口体２０を前進させた場合では、図４に示すように吸込口本体２１が前進する。このとき、回動体３０は、被清掃面Ｍとこの被清掃面Ｍに接触した接触摩擦面３１との間に生じる摩擦力により前進方向に対応して順方向（矢印で示す反時計回り方向）に回動駆動される。
【００４０】
さらに、回動体３０は図示しないストッパにより回転角度が規制され、凹部３２を下方に向けて、被清掃面Ｍに対向した状態で保持されることとなる。
【００４１】
これにより、凹部３２と被清掃面Ｍとの間には間隙（間隙Ｇにほぼ等しい）が形成され、吸込口本体２１の前方の外部空間と塵埃吸込室２３とが連通される。そして、吸込口体２０の前方にある塵埃を充分に吸引することが可能となる。
【００４２】
ここで、接触摩擦面３１は外部空間側の幅方向の幅が狭くなっているので、塵埃が付着しやすい接触摩擦面３１の外部空間側の被清掃面Ｍとの接触面積を小さくすることができ、塵埃を付着しにくくさせることができる。
【００４３】
そして、接触摩擦面３１の塵埃吸込室２３側では、塵埃吸込室２３に作用している吸込負圧の影響が比較的大きいので、接触摩擦面３１に塵埃が付着したとしても、この塵埃を充分に吸い込むことができる。そのため、接触摩擦面３１に塵埃が付着することを防止できる。
【００４４】
また、この接触摩擦面３１が塵埃吸込室２３側に向かうにつれて幅方向の幅が広くなることに伴い、接触摩擦面３１の間に設けられた凹部３２の幅方向の幅は塵埃吸込室２３側に向かうにつれて相対的に狭くなる。
【００４５】
そのため、凹部３２を通過する風速が速くなり、接触摩擦面３１に付着した塵埃はさらに剥離しやすくなっている。
【００４６】
さらに、回動体３０は、塵埃吸込室２３側の接触摩擦面３１の幅方向の幅が広くなるように形成されているので、吸込口本体２１の前後方向への移動により生じる摩擦力で、回動体３０が撓んで変形することを防止できる。
【００４７】
なお、回動体３０の表面には払拭部材３０Ａが取り付けられているので、接触摩擦面３１と被清掃面Ｍとの間に比較的大きな摩擦力が生じる。そのため、回動体３０は吸込口本体２１の進行方向に対応して容易に回動することができる。
【００４８】
一方、吸込口本体２１を後退させた場合では、図５のように、回動体３０は被清掃面Ｍに密着して後退方向に対応して順方向（矢印で示す時計回り方向）に回動駆動され、凹部３２を前方に向けた状態となる。このときも、回動体３０は、被清掃面Ｍとこの被清掃面Ｍに接触した接触摩擦面３１との間に生じる摩擦力により後退方向に対応して順方向に回動駆動される。
【００４９】
これにより、回動体３０の下部が被清掃面Ｍに密着すると共に、回動体３０の上部が凹所２８の内面に近接するので、外部空間と塵埃吸込室２３とが遮断される。そして、塵埃吸込室２３内における吸込負圧が高まって、吸込口本体２１を後退させる際の塵埃吸込力を向上させることができる。
【００５０】
また、上述の実施の形態では、回動体３０に設けられた接触摩擦面３１が複数あるので、隣接する接触摩擦面３１間の距離が短くなり、回動体３０全体の剛性を向上することができる。
【００５１】
特にここでは、回動体３０の中央部、及び、この中央部を挟んで、中央部に設けられた接触摩擦面３１から等距離離れた対称位置の三箇所にそれぞれ接触摩擦面３１が設けられている。
【００５２】
これにより、吸込口体２０と被清掃面Ｍとの間に生じる摩擦力を効率良く分散させることができ、少ない接触摩擦面３１で回動体３０の剛性を充分に確保することができる。
【００５３】
さらに、接触摩擦面３１が三箇所にしか設けられていないので、相対的に凹部３２の占める部分が増加し、吸込口体２０の前方にある塵埃を吸引しやすくなる。
【００５４】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００５５】
上述の実施の形態では、回動体３０は吸込開口２４の前方に設けられているが、例えば、図６に示すように、回動体４０を吸込開口２４の後方に設けていてもよい。すなわち、吸込開口２４の後方に凹所４１が形成され、この凹所４１内に回動体４０が回動自在に配置されている。
【００５６】
この場合であっても、接触摩擦面４２は、被清掃面Ｍに接触した際に、塵埃吸込室２３側に向かうにつれて幅方向の幅が広くなるように形成されている。
【００５７】
これにより、吸込口本体２１を後退させる際に、塵埃が付着しやすい外部空間側の被清掃面との接触面積を小さくすることができて、塵埃を付着しにくくすることができる。
【００５８】
そして、接触摩擦面４１の塵埃吸込室２３側に付着した塵埃は塵埃吸込室２３に作用する吸込負圧により吸引して除去することができる。したがって、被清掃面Ｍに接触する接触摩擦面４１に塵埃が付着することを防止できる。
【００５９】
また、この回動体４０は塵埃吸込室２３側の幅方向の幅が広くされているので、吸込口体２０と被清掃面Ｍとの間に大きな摩擦力が作用した場合であっても、撓んで変形することを防止できる。
【００６０】
さらに、図７に示すように、一対の回動体５０ａ、５０ｂを吸込開口２４の前方及び後方に設けていてもよい。すなわち、吸込開口２４の前方に前側凹所５１ａが形成されると共に後方に後側凹所５１ｂが形成され、この前側、後側凹所５１ａ、５１ｂに回動体５０ａ、５０ｂがそれぞれ回動自在に配置されている。
【００６１】
この場合も、各回動体５０ａ、５０ｂに設けられた接触摩擦面５２ａ、５２ｂは、塵埃吸込室２３側に向かうにつれて幅方向の幅が広くなるように形成されているので、被清掃面Ｍとの間に強い摩擦力が作用した場合であっても、各回動体５０ａ、５０ｂの撓みを防止するために充分な剛性を確保することができる。
【００６２】
そして、上述のように、被清掃面Ｍに接触する各回動体５０ａ、５０ｂの接触摩擦面５２ａ、５２ｂに塵埃が付着することを防止できる。
【００６３】
なお、上述の実施の形態では、本発明に係る吸込口体２０をいわゆるアップライト式の電気掃除機１０に装着しているが、キャニスター式の電気掃除機等であってもよい。
【００６４】
【発明の効果】
この発明によれば、外部空間と塵埃吸込室とを適宜連通させて、前方にある塵埃を充分に吸引させる連通手段に塵埃が付着することを防止できると共に、連通手段の変形を防止することができる吸込口体を提供することができる。
【図面の簡単な説明】
【図１】この発明に係る電気掃除機の全体を示す斜視図である。
【図２】この発明に係る吸込口体の底面側の斜視図である。
【図３】回動体を示す斜視図である。
【図４】この発明に係る吸込口体を前進させた場合を示す要部断面図である。
【図５】この発明に係る吸込口体を後退させた場合を示す要部断面図である。
【図６】この発明に係る吸込口体の他の第一例を示す要部断面図である。
【図７】この発明に係る吸込口体の他の第二例を示す要部断面図である。
【図８】（ａ）従来の吸込口体の底面を示す平面図である。（ｂ）図８（ａ）のＡ−Ａ断面図である。
【図９】従来の吸込口体の底面を示す斜視図である。
【符号の説明】
２０        吸込口体
２１        吸込口本体
２３        塵埃吸込室
２４        吸込開口
３０        回動体
３１        凹部
３２        接触摩擦面
【図１】
2004230005.tif 000003
【図２】
2004230005.tif 000004
【図３】
2004230005.tif 000005
【図４】
2004230005.tif 000006
【図５】
2004230005.tif 000007
【図６】
2004230005.tif 000008
【図７】
2004230005.tif 000009
【図８】
2004230005.tif 000010
【図９】
2004230005.tif 000011